(57)【要約】【課題】腕から導入して下肢動脈を治療する、長い下肢動脈治療用カテーテルの交換による時間を短縮する。【解決手段】下肢動脈の病変部を有する患者の治療方法であって、患者の一方の腕の動脈から第１のカテーテルを導入し、少なくとも下肢動脈の病変部の手前に第１のカテーテル先端部を配置する第１の配置ステップと、患者の他の腕の動脈から第２のカテーテルを導入する導入ステップと、第１のカテーテルを通して第１の治療用カテーテルを病変部に配置する第２の配置ステップと、第１の治療用カテーテルにより病変部を治療する治療ステップと、第２のカテーテルおよび／または第２カテーテルに挿入した第２の治療用カテーテルより治療を支援する支援ステップと、を有する。【選択図】図１
2020163121.tif 000002
【特許請求の範囲】
【請求項１】
下肢動脈の病変部を有する患者の治療方法において、
前記患者の一方の腕の動脈から第１のカテーテルを導入し、少なくとも前記下肢動脈の病変部の手前に前記第１のカテーテル先端部を配置する第１の配置ステップと、
前記患者の他の腕の動脈から第２のカテーテルを導入する導入ステップと、
前記第１のカテーテルを通して第１の治療用カテーテルを前記病変部に配置する第２の配置ステップと、
前記第１の治療用カテーテルにより前記病変部を治療する治療ステップと、
前記第２のカテーテルおよび／または前記第２カテーテルに挿入した第２の治療用カテーテルより前記治療を支援する支援ステップと、を有することを特徴とする治療方法。
【請求項２】
前記一方の腕の動脈と前記他の腕の動脈の少なくとも一方がコンベンショナル橈骨動脈である、請求項１に記載の治療方法。
【請求項３】
前記一方の腕の動脈と前記他の腕の動脈の少なくとも一方が遠位橈骨動脈、あるいはスナッフボックス内の橈骨動脈である、請求項１または２に記載の治療方法。
【発明の詳細な説明】
【技術分野】
【０００１】
本発明は、下肢動脈の病変部を治療するために、両腕の橈骨動脈からそれぞれカテーテルを導入し、病変部を治療する方法に関する。
【背景技術】
【０００２】
近年、患者の身体的負担が少なく退院が早まる等の理由により下肢動脈を治療するために、腕の動脈、特に橈骨動脈からカテーテルを導入して治療を行う手技（ＴＲＩ：  Ｔｒａｎｓ  Ｒａｄｉａｌ  Ｉｎｔｅｒｖｅｎｔｉｏｎ）が行われている。
【先行技術文献】
【特許文献】
【０００３】
【特許文献１】米国特許公開第２０１４／０３５８１２３号公報
【非特許文献】
【０００４】
【非特許文献１】Ｔｅｘ  ｈｅａｒｔ  Ｉｎｓｔ  Ｊ．２０１２；３９（１）：１１２−１１５
【発明の概要】
【発明が解決しようとする課題】
【０００５】
腕の血管から挿入して、下肢の血管の病変部を治療する場合、治療前後の血管内面を画像診断によって確認を行い、治療を支援する場合がある。例えば、診断用カテーテルとして、ＩＶＵＳ（ＩｎｔｒａＶａｓｃｕｌａｒ  ＵｔｒａＳｏｕｎｄ）血管内超音波画像診断カテーテルを使用する場合、バルーンカテーテルなど治療用カテーテルをいったん抜去して、診断用カテーテルと交換し診断用カテーテルを血管内に挿入する。
【０００６】
１本のガイディングカテーテル、または１組の外側ガイディングカテーテルと内側カテーテルからなるカテーテル組立体のみ使用すると、治療用カテーテルと診断用カテーテルの交換に時間を要し、カテーテルが不潔野に接したりキンクして、新しいカテーテルと交換が必要となる場合がある。
【０００７】
あるいは、大動脈内でカテーテルを動かした際に、大動脈内壁から剥離した塞栓が腎動脈や上腸間膜動脈に飛散して虚血を起こす場合がある。
【０００８】
例えば、急性上腸間膜動脈閉塞症（Ａｃｕｔｅ  Ｓｕｐｅｒｉｏｒ  Ｍｅｓｅｎｔｅｒｉｃ  Ａａｒｔｅｒｙ  Ｏｃｃｌｕｓｉｏｎ  ＳＭＡＯ）により虚血が進行して腸管壊死を起こす可能性があるなど緊急度が高い場合は、病変部に配置したカテーテルを抜去して治療を中断する場合がある。
【０００９】
また、非特許文献１には、左右の橈骨動脈から冠動脈の分岐血管の本枝と分枝を同時に治療する方法は記載されている。しかし、下肢動脈の浅大腿動脈のように分岐がなく、かつ病変部の長さが極めて長い、あるいは石灰化が進んで治療に時間がかかる１本の血管内の病変部の治療については開示されていない。
【００１０】
治療が困難な病変部の手技の時間を短くして、ガイディングカテーテルや治療用カテーテルを効率よく使用することは、患者への負担を低減して手技時間を短縮し、医療経済性の点から見ても重要である。
【課題を解決するための手段】
【００１１】
前記の目的を達成するのは、以下の本発明である。
（１）本発明に係る治療方法は、下肢動脈の病変部を有する患者の治療方法において、前記患者の一方の腕の動脈から第１のカテーテルを導入し、少なくとも前記下肢動脈の病変部の手前に前記第１のカテーテル先端部を配置する第１の配置ステップと、前記患者の他の腕の動脈から第２のカテーテルを導入する導入ステップと、前記第１のカテーテルを通して第１の治療用カテーテルを前記病変部に配置する第２の配置ステップと、前記第１の治療用カテーテルにより前記病変部を治療する治療ステップと、前記第２のカテーテルおよび／または前記第２カテーテルに挿入した第２の治療用カテーテルより前記治療を支援する支援ステップと、を有することを特徴とする治療方法である。
（２）前記一方の腕の動脈と前記他の腕の動脈の少なくとも一方がコンベンショナル橈骨動脈である、上記（１）に記載の治療方法であってもよい。
（３）前記一方の腕の動脈と前記他の腕の動脈の少なくとも一方が遠位橈骨動脈、あるいはスナッフボックス内の橈骨動脈である、上記（１）に記載の治療方法であってもよい。
【発明の効果】
【００１２】
治療に時間のかかる下肢動脈の病変部に、両腕から１本ずつカテーテルを挿入することで、治療用または診断用カテーテルの交換時間の短縮と、病変部以外で生じた急性塞栓症に対して病変部の治療を中断することがないため、短時間で患者全体の治療を完了することができる。
【図面の簡単な説明】
【００１３】
【図１】図１は、実施形態に係る治療方法等の流れを示す全体説明図である。
【図２】図２は、第１の治療カテーテルによる病変部の治療ステップと、第２のカテーテルによって飛散したプラーク等を吸引除去して、治療を支援する支援ステップとを示す拡大断面模式図である。
【発明を実施するための形態】
【００１４】
以下、本発明の好適な実施形態を挙げ、添付の図面を参照して詳細に説明する。なお、図面の寸法比率は、説明の都合上、誇張されて実際の比率とは異なる場合がある。また、以下の説明において、カテーテルの手元側を「基端」、生体内へ挿入される側を「先端」と呼ぶ。
【００１５】
本明細書において、治療とは、病変部である狭窄部あるいは閉塞部をカテーテルによって拡張して血流を回復することをいう。また、支援とは、例えば、治療前後に血管内画像診断を行い、治療による効果を評価して、次の治療方針を決める情報を収集することをいう。あるいは、支援とは、バルーン拡張により生じた塞栓の破片などのように、治療用カテーテルの使用によって生じるが、治療用カテーテルでは回収できないものを除去すること、治療によって回復した血管の再狭窄を防止すること、あるいは血管の開存期間を延ばすことなど、治療効果を持続させる補助的作業をいう。
【００１６】
第１のカテーテルとしては、腕から導入可能であり、かつ、腸骨動脈や大腿動脈のように血管径が大きい病変部を拡張できる外径の大きいバルーンカテーテルを挿入できるように、薄肉のガイディングカテーテル、ガイディングシースあるいはロングシースなどが用いられる。具体的には、第１のカテーテルとしての第１のガイディングカテーテルは、内径が２．２ｍｍ、外径が２．３から２．６ｍｍ、全長が１５００から１６００ｍｍ程度のものが好ましい。
【００１７】
第１の治療用カテーテルとしては、全長が２０００ｍｍ程度で、下肢動脈の狭窄部や閉塞部を拡張するバルーンカテーテル、ステントデリバリーカテーテルやアテレクトミーカテーテルなどがあり、好ましくは腸骨動脈や大腿動脈のように血管径が大きい病変部を拡張できる外径の大きいバルーンカテーテル、具体的にはバルーン部の拡張径（外径）が５ｍｍから１２ｍｍ程度、バルーン部の長さが２０ｍｍから３００ｍｍ程度のバルーンカテーテルや、拡張径（内径）が５ｍｍから１２ｍｍ、バルーン部の長さが２０ｍｍから３００ｍｍ程度のステントを配置するステントデリバリーカテーテルが挙げられる。また、薬剤を担持した薬剤コーテッドバルーン（ＤＣＢ）カテーテルや薬剤流出ステント（ＤＥＳ）を配置するステントデリバリーカテーテルが挙げられる。
【００１８】
あるいは、第１の治療用カテーテルとして、ＤＣＢやＤＥＳを使用する前に、閉塞部の血流を回復するための血管貫通用カテーテルやガイドワイヤーサポートカテーテル、あるいは塞栓除去のための塞栓吸引カテーテルを用いてもよい。あるいは、第１の治療用カテーテルとして、薬剤の効果を高めるために、Ｖｅｓｓｅｌ  ｐｒｅｐａｒａｔｉｏｎを行うためのアテレクトミーカテーテルやバルーンカテーテルを用いてもよい。
【００１９】
他の腕の血管から挿入される第２のカテーテルは、第１のカテーテルとして用いられるカテーテルと同じものの他、血管造影カテーテル、ガイドワイヤーサポートカテーテルあるいはマイクロカテーテルなどでもよい。
【００２０】
第２のカテーテルは、第１のカテーテルによる治療を支援するために、例えば第１の治療用カテーテルとしてバルーンカテーテルの拡張によって生じた塞栓やプラーク内に蓄積されたコレステロール結晶などを除去するために、吸引カテーテルとしてそのまま用いてもよい。
【００２１】
第２の治療用カテーテルは、第１の治療用カテーテルに用いるカテーテルと同じものの他、治療前後の血管内面の画像診断を行うために、ＩＶＵＳカテーテルのような血管内画像診断カテーテルであり、血管に挿入して用いられてもよい。
【００２２】
（本発明の実施形態）
図１に、左浅大腿動脈に狭窄部（病変部）Ｘを有する患者の血管内に、右橈骨動脈から第１のカテーテルとしてガイディングカテーテル１０を配置し、第１のカテーテル内腔に第１の治療用カテーテルとしてＤＣＢカテーテル１２を配置し、左橈骨動脈から第２のカテーテルとしてガイディングカテーテル１０’を配置した状態を示す。
【００２３】
第１の配置ステップでは、術者は、右橈骨動脈に対し、図示しない穿刺針で穿刺し、ミニガイドワイヤー（図示せず）を血管内に配置したのちに、ダイレータ（図示せず）を組み入れたシースイントロデューサ１１を挿入する。次に、術者は、ダイレータとミニガイドワイヤーを抜去してからシースイントロデューサ１１を介して、ガイドワイヤー１３を組み入れた第１のカテーテルであるガイディングカテーテル１０を導入する。
【００２４】
橈骨動脈（Ｒａｄｉａｌ）は、従来の手首近傍のコンベンショナル橈骨動脈の他、より末梢側の遠位橈骨動脈、あるいはスナッフボックス内の橈骨動脈でもよい。ここで、スナッフボックス内の橈骨動脈とは、橈骨動脈の末梢側で、短母指伸筋腱と長母指伸筋腱の間に位置する部位の橈骨動脈であり、以下ｓ−ＲＡという。遠位橈骨動脈は、橈骨動脈の背側手根枝で、長母指伸筋腱と、長橈側手根伸筋腱の間に位置する橈骨動脈であり、以下ｄ−ＲＡという。
【００２５】
続いて、術者は、ガイドワイヤー１３を、左総腸骨動脈側に挿入し、左外腸骨動脈から左総大腿動脈を通って、左浅大腿動脈の狭窄部Ｘを越えて配置する。続いてガイドワイヤー１３に沿って、ガイディングカテーテル１０の先端部１０ａを病変部の手前まで、具体的には左浅大腿動脈と左深大腿動脈の分岐を越えた個所に進めて、ガイディングカテーテル１０を下肢動脈内に配置する。
【００２６】
次に、導入ステップとして、術者は、左腕のコンベンショナル橈骨動脈から第２のカテーテルであるガイディングカテーテル１０’を導入する。第２のガイディングカテーテル１０’の先端部１０ａ’は、第１のカテーテルおよび第１の治療用カテーテルにより治療を妨げず、かつ治療の支援が可能な位置に配置される。図１においては、先端部１０ａ’は狭窄部Ｘの手前に配置される。
【００２７】
さらに第２の配置ステップとして、術者は、第１の治療用カテーテルである薬剤コーテッドバルーン（ＤＣＢ）カテーテル１２のＤＣＢ１２ａを狭窄部Ｘに配置する。具体的には、狭窄部Ｘを拡張するため、ガイドワイヤー１３に沿って、ラピッドエクスチェンジ（ＲＸ）タイプのＤＣＢカテーテル１２を狭窄部Ｘ側に進めて、処置部であるＤＣＢ１２ａを狭窄部Ｘの基端から末端まで配置する。
【００２８】
次いで、術者は、治療ステップとしてＤＣＢカテーテル１２にインデフレータ（図示せず）を取り付け、液体を注入してＤＣＢ１２ａを拡張し、狭窄部Ｘを拡張する。手元ハブに取り付けたインフレーター（図示せず）によりＤＣＢ１２ａを拡張して狭窄部を拡張すると、プラークが破綻してコレステロール結晶１４１が血管内に放出される。
【００２９】
第２のカテーテルで狭窄部Ｘの治療を支援するステップとして、術者は、第２のカテーテルによって、末梢血管を閉塞してコレステロール塞栓症を引きおこすコレステロール結晶１４１を吸引除去することで、合併症を減らし、治療を支援する。
【００３０】
さらに、術者は、インフレーターを操作して減圧し、薬剤塗布後のＤＣＢ部１２ａを収縮させると血流が回復する。回復した血流によって、コレステロール結晶１４１や血管壁内に浸透しきれなかった薬剤１４０が、末梢側へ流出してコレステロール塞栓症などをおこす可能性があるため、同じように吸引除去されてもよい。
【００３１】
具体的な支援ステップとして、本実施形態においては、術者は、図１中、第２のガイディングカテーテル１０’のハブの基端開口部にＹコネクター（図示せず）を取りつけ、サイドポートに吸引器を取り付ける。吸引器としては例えばシリンジ（図示せず）でもよい。術者は、Ｙコネクターとシリンジを操作して、第２のガイディングカテーテル１０’のルーメン内を陰圧にする。陰圧によって吸引力が生じ、これにより、少なくとも、拡張したＤＣＢ１２ａで閉鎖されたＤＣＢ１２ａの基端側から第１のガイディングカテーテル先端１０ａの開口部までの間にある、言い換えるとＤＣＢ１２ａから狭窄部Ｘの心臓側（上流）にある塞栓やプラークから生じたコレステロール結晶などの脂溶性化合物を体外に取り出して、治療の支援をすることができる。
【００３２】
なお、狭窄部ＸにＤＣＢカテーテル１２が進入できない場合には、術者は、別の治療用カテーテルとしてアテレクトミーカテーテルを先行して使用し、狭窄部Ｘに孔を開けてからＤＣＢカテーテル１２を進入させてもよい。この時、術者は、ＤＣＢカテーテル１２と交換してアテレクトミーカテーテルを同じ腕の橈骨動脈から同じ第１のガイディングカテーテル１０に挿入してもよく、ＤＣＢカテーテルを第１のガイディングカテーテル１０内に留置して体内に挿入した状態で、もう一方の腕に挿入した第２のガイディングカテーテル１０’を通して狭窄部Ｘに配置して、治療してもよい。
【００３３】
治療の支援として、ＩＶＵＳカテーテルをガイディングカテーテル１０’内に常時配置して、拡張前後に血管内面を確認してもよい。特に第２のカテーテルが、バルーンカテーテルなどの治療用カテーテルではなく、ＩＶＵＳカテーテルのみであって血管に挿入される場合は、第１のガイディングカテーテルより外径が小さい第２のガイディングカテーテルを用いてもよい。外径が小さい第２のカテーテルを使用する場合は、ｓ−ＲＡまたはｄ−ＲＡからアクセスする方が低侵襲となり好ましい。
【００３４】
（本発明の他の実施形態）
狭窄部Ｘが分岐部近傍の一方の動脈にある場合、術者は、狭窄部Ｘを第１のカテーテルに挿入した第１のバルーンカテーテルで拡張する。このとき、バルーン拡張によってもう一方の他の動脈が閉塞しないように、他の腕から導入した第２のカテーテルに挿入した第２のバルーンカテーテルを用いて病変部のある本枝の血管と、分岐した他の分枝の血管を同時に拡張してもよい。これにより、他の血管が閉塞しないように支援できる。
【００３５】
また、腕の動脈から下肢動脈まで第１のカテーテルを配置すると、大動脈内で第１のカテーテルが動いて、大動脈内壁を擦過する場合がある。擦過により大動脈内壁のプラークから生じた塞栓や、剥離した石灰化病変が上腸間膜動脈に飛散してＳＭＡＯを起こす場合がある。腸管壊死に至るおそれがあるような緊急度が高い場合に、術者は、第１のカテーテルおよび第１の治療用カテーテルを病変部に配置したまま、上腸間膜動脈の塞栓を除去する。例えば、術者は、第２のカテーテルである第２のガイディングカテーテルを用いて、塞栓を吸引してもよく、あるいは、第２のガイディングカテーテルに第２の治療用カテーテルであるバルーンカテーテルやステントデリバリーカテーテルを挿入して、血管を拡張しＳＭＡＯを治療してもよい。
【００３６】
また、第１のカテーテルと第２のカテーテルは役割を変えてもよく、第２のカテーテルで病変部を治療し、その治療を第１のカテーテルで支援してもよく、あるいは治療の途中で役割を変えてもよい。
【００３７】
上記において、本発明について好適な実施形態を挙げて説明したが、本発明は前記実施形態に限定されるものではなく、本発明の趣旨を逸脱しない範囲において、種々の改変が可能なことは言うまでもない。
【符号の説明】
【００３８】
１０      第１のカテーテル（ガイディングカテーテル）、
１０ａ    第１のカテーテル先端部、
１０’      第２のカテーテル（ガイディングカテーテル）、
１０ａ’    第２のカテーテル先端部、
１１      イントロデューサーシース、
１２      第１の治療用カテーテル（薬剤コーテッドバルーン（ＤＣＢ）カテーテル）、
１２ａ    薬剤コーテッドバルーン（ＤＣＢ）、
１３      ガイドワイヤー、
１４０  薬剤、
１４１  コレステロール結晶、
Ｘ      狭窄部（左浅大腿動脈病変部）。
【産業上の利用可能性】
【００３９】
治療に時間のかかる下肢動脈の病変部に、両腕から２本のカテーテルを挿入することで、治療用または診断用カテーテルの交換時間の短縮と、病変部以外で生じた急性塞栓症に対して病変部の治療を中断することなく短時間で患者全体の治療を完了することができる。これにより人件費削減が可能となり、医療経済性に資する。
【図１】
2020163121.tif 000003
【図２】
2020163121.tif 000004